(57)【特許請求の範囲】
【請求項１】
軸を水平にして設置され前端に短円筒状の網目を有する吸気スクリーンを設けたガスタービンと、このガスタービンを収納しガスタービンの前方上方に吸気口とこれに続く吸気スペースとを有し後方に排気スペースとこの排気スペースの上方に排気口を有する収納容器と、を備えたガスタービン装置において、前記吸気スペースに前記ガスタービン軸方向に走行する台車を設け、この台車に前記吸気スクリーンを支持する支持台と、この支持台を昇降する昇降装置を設け、
前記支持台は、幅方向をガスタービン軸方向と直交する方向とした水平部材と、この水平部材に設けられガスタービン軸を中心として両側に幅方向同一距離移動し吸気スクリーンとの接触面がガスタービン軸に向かって下方に傾斜している受け台と、を備えたことを特徴とするガスタービン吸気スクリーン移動装置。
【請求項２】
軸を水平にして設置され前端に短円筒状の網目を有する吸気スクリーンを設けたガスタービンと、このガスタービンを収納しガスタービンの前方上方に吸気口とこれに続く吸気スペースとを有し後方に排気スペースとこの排気スペースの上方に排気口を有する収納容器と、を備えたガスタービン装置において、前記吸気スペースに前記ガスタービン軸方向に走行する台車を設け、この台車に前記吸気スクリーンを支持する支持台と、この支持台を昇降する昇降装置を設け、
前記吸気スクリーンの前面中心には吊り上げ金具が設けられており、この吊り上げ金具と着脱可能に結合する垂直部材が前記支持台に取付けられていることを特徴とするガスタービン吸気スクリーン移動装置。
【発明の詳細な説明】
【０００１】
【発明の属する技術分野】
本発明は、ガスタービンの前方に設けられた吸気スクリーンを取付け取り外し移動するガスタービン吸気スクリーン移動装置に関する。
【０００２】
【従来の技術】
ガスタービンによりプロペラを回転する舶用ガスタービンでは、防音および放熱を遮断するためガスタービンをエンクロージャと称する収納容器に収めている。図２は舶用ガスタービンとエンクロージャの一例を示す。ガスタービン１は水平に配置され、その後部に伸びた軸２は図示しないプロペラに接続されている。ガスタービン１は防音性および断熱性を有するエンクロージャ３に収納される。エンクロージャ３はガスタービン１を支持するとともに表面より発生する熱を換気して冷却する換気室５と、ガスタービン１の前方に設けられ燃焼用空気を取り入れる吸気室４と、ガスタービン１の後方に設けられ燃焼済ガスを排出する排気室６とからなる。
【０００３】
吸気室４の上方には吸気口７が設けられ空気を吸入し、排気室６の上方には排気口８が設けられ燃焼済ガスを排出する。また、換気室５の前方上方には換気取入口９ａが設けられ、後方上方には換気排出口９ｂが設けられている。吸気室４内でガスタービン１の前端には吸気スクリーン１０が取付けられ、異物の吸入を防止する。この吸気スクリーン１０の前方中心には吊り上げ金具１１が設けられ、吸気スクリーン１０を吊り上げながら前後方向（ガスタービン軸方向）に移動して、ガスタービン１の前端の吸気部の保守点検作業が行われる。給気仕切板１５にはマンホール１２が設けられ、作業員が出入りし、床１３上で作業する。
【０００４】
図３は吸気スクリーンとその取付け方法を示す図である。短円筒状で網目を有する吸気スクリーン１０は給気仕切板１５にボルトで取付けられる。ガスタービン前端部１４は給気仕切板１５より突出しており、これを覆うように吸気スクリーン１０が設けられている。
【０００５】
【発明が解決しようとする課題】
ガスタービン前端部１４は定期的に保守点検するため吸気スクリーン１０を前後方向に移動して、作業員が給気仕切板１５との間に入り作業を行う。従来は吸気スクリーン１０を吊り上げ金具１１で吊り上げながら前後に移動する作業をチエンブロックなどの道具を使って作業員が行っていた。しかし吸気室４は狭く作業条件が悪いため作業に長時間かかっていた。
【０００６】
本発明はかかる問題点を解決すために創案されたものである。すなわち、本発明の目的は、吸気スクリーンの移動を機械化して省力化し作業を容易にするガスタービン吸気スクリーン移動装置を提供することにある。
【０００９】
【課題を解決するための手段】
上記目的を達成するため、請求項１の発明では、軸を水平にして設置され前端に短円筒状の網目を有する吸気スクリーンを設けたガスタービンと、このガスタービンを収納しガスタービンの前方上方に吸気口とこれに続く吸気スペースとを有し後方に排気スペースとこの排気スペースの上方に排気口を有する収納容器と、を備えたガスタービン装置において、前記吸気スペースに前記ガスタービン軸方向に走行する台車を設け、この台車に前記吸気スクリーンを支持する支持台と、この支持台を昇降する昇降装置を設け、前記支持台は、幅方向をガスタービン軸方向と直交する方向とした水平部材と、この水平部材に設けられガスタービン軸を中心として両側に幅方向同一距離移動し吸気スクリーンとの接触面がガスタービン軸に向かって下方に傾斜している受け台と、を備える。
【００１０】
台車を吸気スクリーンの下に移動し、支持台を上昇させ吸気スクリーンの自重を支持台に移す。この状態で吸気スクリーンをガスタービンに結合しているボルトを外し、台車をガスタービンから離し、その間に作業員が入りガスタービンの保守点検作業を行う。保守点検作業終了後、台車を元のガスタービン前面まで移動し、支持台を上下して位置合わせした後、吸気スクリーンとガスタービンとをボルト等で結合する。これにより吸気スクリーンの移動と取り外し、取付けが短時間に容易に行える。
また、吸気スクリーンを直接支持する受け台は水平部材上に幅方向の中心より左右に１個づづ設けられ幅中心より左右同一距離移動する。受け台の吸気スクリーンとの接触面は幅中心に対して下方に傾斜している。これにより吸気スクリーンの直径が変わっても受け台を幅中心に対して同一距離移動することにより吸気スクリーンの円筒中心軸をガスタービン軸に一致させることができる。また幅中心に対して同一距離移動することにより吸気スクリーンの円筒径に適した位置に受け台を設定することができる。
【００１１】
請求項２の発明によれば、軸を水平にして設置され前端に短円筒状の網目を有する吸気スクリーンを設けたガスタービンと、このガスタービンを収納しガスタービンの前方上方に吸気口とこれに続く吸気スペースとを有し後方に排気スペースとこの排気スペースの上方に排気口を有する収納容器と、を備えたガスタービン装置において、前記吸気スペースに前記ガスタービン軸方向に走行する台車を設け、この台車に前記吸気スクリーンを支持する支持台と、この支持台を昇降する昇降装置を設け、前記吸気スクリーンの前面中心には吊り上げ金具が設けられており、この吊り上げ金具と着脱可能に結合する垂直部材が前記支持台に取付けられている。
【００１２】
請求項２の発明によれば、請求項１の発明と同様に、吸気スクリーンの移動と取り外し、取付けが短時間に容易に行える。また、吸気スクリーンは２個の受け台に乗っているだけでは台車走行の際転倒する恐れがあるが、吸気スクリーンの吊り上げ金具と支持台を結合することにより転倒を防止できる。
【００１３】
【発明の実施の形態】
以下、本発明の好ましい実施形態を図面を参照して説明する。なお、各図において共通する部分には同一の符号を付して使用する。
図１は、本発明によるガスタービン吸気スクリーン移動装置を示し、（Ａ）は正面図、（Ｂ）は側面図を示す。本ガスタービン吸気スクリーン移動装置は図２に示した吸気室４に配置される。吸気室４の床１３にはガイドレール２１がガスタービン１の軸方向（前後方向）に設けられ、台車２０がこのガイドレール２１に沿って移動するように配置されている。台車２０は走行シリンダ２２により前後方向に移動する。台車２０の上方には前後方向と直交する方向を幅方向とし、前後方向が吸気スクリーン１０の円筒軸方向の長さとほぼ等しい水平部材２３が設けられ、台車２０の中央に設けられた油圧ジャッキ２５により昇降する。台車上面と水平部材下面の間には、油圧ジャッキ２５の周囲に４本の垂直ガイド２４が設けられ、水平部材２３が垂直に昇降するようにガイドする。
【００１４】
水平部材２３の幅中心より左右の等距離位置に吸気スクリーン１０を受ける受け台２６が設けられている。受け台２６の上面は幅中心に対して下りの傾斜面となっており、左右２個の受け台２６で円筒形の吸気スクリーン１０を支持する。水平部材２３の内部には幅方向にねじ棒２７が貫通しており、水平部材２３の幅中心を境として左右に互いに逆向きのねじが切ってあり、それぞれのねじ部にナット２８が螺合している。このナット２８はそれぞれ受け台２６と結合しており、当初両ナット２８を幅中心より等距離に設定しておき、ねじ棒２７をハンドル２９で回転することにより、受け台２６を幅中心より左右に等距離移動することができる。また、水平部材２３の幅中心には、吸気スクリーン１０の前面中心に設けられた吊り上げ金具１１とボルトで結合される転倒防止バー３０が垂直に設けられ、受け台２６で支持された吸気スクリーン１０の転倒を防止する。なお、本装置は分解して吸気室４のマンホール１２から搬出入可能でガスタービン１の運転時には撤去される。
【００１５】
次に上記装置の動作について説明する。
吸気スクリーン１０取り外し時は、台車２０を受け台２６を下げた状態で吸気スクリーン１０の真下に移動し、油圧ジャッキ２５を上昇させて受け台２６に吸気スクリーン１０の自重を移し、転倒防止レバー３０の先端と吊り上げ金具１１をボルトで結合する。この状態で吸気スクリーン１０とガスタービン１を結合しているボルトを外す。次に走行シリンダ２２を駆動して台車２０をガスタービン１より離す方向に移動して吸気スクリーン１０とガスタービン１の先端との間隔を開け、作業員がその間に入りガスタービン１の保守点検を行う。保守点検後、再び台車２０をガスタービン１の前面まで移動し、ボルトにより吸気スクリーン１０とガスタービン１とを接合した後、転倒防止レバー３０の先端と吊り上げ金具１１を結合するボルトを取り外す。
【００１６】
【発明の効果】
以上の説明から明らかなように、本発明は、エンクロージャに収納されたガスタービンの前部に設けられた吸気スクリーンを、台車で前後、左右、上下に移動できるようにしたので、ガスタービンや吸気スクリーンの保守、点検を小人数の作業員で行うことができ、作業時間も短縮され、安全に作業を実施できる。
【図面の簡単な説明】
【図１】本発明による台車を示し、（Ａ）は正面図、（Ｂ）は側面図である。
【図２】ガスタービンとエンクロージャを示す図である。
【図３】吸気スクリーンとガスタービン前端の関係を示す図である。
【符号の説明】
１  ガスタービン
３  エンクロージャ
４  吸気室
５  換気室
６  排気室
７  吸気口
８  排気口
９ａ  換気取入口
９ｂ  換気排出口
１０  吸気スクリーン
１１  吊り上げ金具
１２  マンホール
１３  床
１４  ガスタービン前端部
１５  給気仕切板
２０  台車
２１  ガイドレール
２２  走行シリンダ
２３  水平部材
２４  垂直ガイド
２５  油圧ジャッキ
２６  受け台
２７  ねじ棒
２８  ナット
２９  ハンドル
３０  転倒防止レバー
【図１】
0003956377.tif 000002
【図２】
0003956377.tif 000003
【図３】
0003956377.tif 000004